(57)【要約】      （修正有）【課題】排気による室内の負圧を防ぐと共に、室内の温度変化を抑えて、室内と室外との空気を給排気する給排気システムを提供する。【解決手段】筒状の内部空間を有し、内部空間を長手方向に排気空間と給気空間とに分ける仕切部を含む顕熱交換ダクト３０と、加熱機器４０の上方に設置される吸込口１３を有し、排気空間に接続する排気部１０と、吸込口１３の近傍に設置される吹出口２３を有し、給気空間に接続する給気部２０とを具備する。顕熱交換ダクト３０は、排気空間と繋がり室外２に設置される排気口３１と、給気空間と繋がり室外２に設置される給気口３２とを備える。顕熱交換ダクト３０は、排気空間を流れる室内空気と、給気空間を流れる室外空気とは仕切部を介して熱交換する。【選択図】図１
2010216757.tif 000002
【特許請求の範囲】
【請求項１】
筒状の内部空間を有し、前記内部空間を長手方向に排気空間と給気空間とに分ける仕切部を含む顕熱交換ダクトと、
加熱機器の上方に設置される吸込口を有し、前記排気空間に接続する排気部と、
前記吸込口の近傍に設置される吹出口を有し、前記給気空間に接続する給気部と、
を具備し、
前記顕熱交換ダクトは、
前記排気空間と繋がり、室外に設置される排気口と、前記給気空間と繋がり、前記室外に設置される給気口と、
を備え、
前記排気部は、
前記加熱機器の上方の室内空気を前記吸込口から吸込み、吸込んだ前記室内空気を前記排気空間に流して前記室外まで排気する気流を発生させる排気ファン
を備え、
前記給気部は、
前記給気口から室外空気を吸込み、吸込んだ前記室外空気を前記吹出口から前記加熱機器の周囲まで吹き出す気流を発生させる給気ファン
を備え、
前記排気空間を流れる前記室内空気と、前記給気空間を流れる前記室外空気とは前記仕切部を介して熱交換する
給排気システム。
【請求項２】
請求項１に記載の給排気システムであって、
前記給気部は、
前記加熱機器から離れた室内空気を取り込む室内給気口
を更に備え、
前記室内給気口から吸込まれた前記加熱機器から離れた室内空気は、前記給気空間を流れずに前記吹出口から前記加熱機器の周囲へ吹き出す
給排気システム。
【請求項３】
請求項１又は２に記載の給排気システムであって、
前記内部空間は、前記長手方向に直交する断面が円形状、又は楕円形状、又は多角形状である
給排気システム。
【請求項４】
加熱機器の上方の室内空気を吸込口から吸込むことと、
前記室内空気が、前記吸込口と繋がる、顕熱交換ダクトが有する排気空間へ流れることと、
室外空気を給気口から吸込むことと、
前記室外空気が、前記給気口と繋がる、前記排気空間と仕切部を介して分けられた前記顕熱交換ダクトの給気空間へ流れることと、
前記排気空間を流れる前記室内空気の熱が、前記仕切部を介して前記給気空間を流れる前記室外空気へ伝達されることと、
前記排気空間を流れる前記室内空気が、室外へ排気されることと、
前記給気空間を流れる前記室外空気が、前記吸込口に近傍の吹出口から吹出されることと、
前記吹出口から吹出された前記室外空気が、前記加熱機器の周囲にエアカーテンを形成することと、
前記エアカーテンを形成した前記室外空気が、前記吸込口へ吸込まれることと
を具備する
給排気方法。
【請求項５】
請求項４に記載の給排気方法であって、
前記給気空間を流れる前記室外空気が、前記吸込口に近傍の吹出口から吹出されることは、
前記加熱機器から離れた室内空気を室内給気口から吸込むことと、
前記加熱機器から離れた室内空気と、前記給気空間を流れる前記室外空気とを混合することと、
を備える
給排気方法。
【発明の詳細な説明】
【技術分野】
【０００１】
本発明は、室内の給排気システムに関する。
【背景技術】
【０００２】
室外から空気を取り入れて室内の空気を排出する換気は、室内の空気環境を維持するために重要な役割を果たしている。換気には、自然の力を利用する自然換気と機械の力を利用する機械換気とがあり、目的に応じて使い分けられる。機械換気は、建物の気密化に伴うシックハウス対策用の室内換気や、浴室、トイレ及びキッチンなど湿気やにおいが局所的に出る場所の局所排気に用いられて効果を発揮している。
【０００３】
住宅に設置される室内の換気装置に関する技術が、特許文献１に開示されている。この換気装置は、外気吸込口から給気吹出口へのエアの流れを生成する給気ファンと、還気吸込口から排気吹出口へのエアの流れを生成する排気ファンと、間接気化冷却ユニットとを備える。間接気化冷却ユニットは、間接気化エレメントと、給排水装置等を備える。間接気化エレメントは、熱交換壁で仕切られたワーキングエア流路とプロダクトエア流路とを備え、更に、ワーキングエア流路は湿潤部材を備える。この換気装置は、外気吸込口から、給気ファン、間接冷却ユニットのプロダクトエア流路、給気吹出口へ繋がる給気流路と、環気吸込口から、間接冷却ユニットのワーキングエア流路、排気ファン、排気吹出口へ繋がる排気流路とを備えている。ワーキングエア流路を流れるワーキングエアが、給排水装置から湿潤部材に供給される水の気化熱で冷却されると、プロダクトエア流路を流れるプロダクトエアは、湿度が変化することなく冷却される。このように換気装置は、それぞれの流路を流れるワーキングエアと、プロダクトエアとの間で顕熱（温度）交換を行う。また、換気装置は、ワーキングエア又はプロダクトエアの少なくとも一方の流量を調整する給料制御手段を備える。このような換気装置は、ワーキングエアもしくはプロダクトエアの少なくとも一方の流量を調整し、給気吹出口からの給気温度を制御することができるというものである。
【０００４】
レンジフードに関する技術が、特許文献２に開示されている。このレンジフードは、加熱調理器に対向して空気を吸引する吸引口と、加熱調理器に向かうエアカーテンを形成する空気を吐出す吐出口と、加熱調理器近傍までエアカーテンを到達させ、吸引口から吸引する風量の変化に応じてエアカーテンの吐出状態を制御する吐出状態制御手段とを備える。このようなレンジフードは、エアカーテンが横風の影響を遮断すると共に調理排気を吸引口へ誘導するため、調理排気の捕集性能を向上させることが出来るというものである。
【先行技術文献】
【特許文献】
【０００５】
【特許文献１】特開２００７−１３９３３６号公報
【特許文献２】特開２００８−７００４９号公報
【発明の概要】
【発明が解決しようとする課題】
【０００６】
本発明の目的は、簡素な構成で、排気による室内の負圧を防ぐと共に、室内の温度変化を抑えて、室内と室外との空気を給排気する給排気システムを提供することにある。
本発明の他の目的は、冷たい室外空気を暖めて給気できる給排気システムを提供することにある。
本発明の他の目的は、室外空気と冷やされた室内空気とを混合して給気できる給排気システムを提供することにある。
本発明の更に他の目的は、加熱機器を使用することで発生する水蒸気、煙及び臭気が室内に拡散することを防ぐ給排気システムを提供することにある。
【課題を解決するための手段】
【０００７】
以下に、発明を実施するための形態で使用される符号を括弧付きで用いて、課題を解決するための手段を記載する。この符号は、特許請求の範囲の記載と発明を実施するための形態の記載との対応を明らかにするために付加されたものであり、特許請求の範囲に記載されている発明の技術的範囲の解釈に用いてはならない。
【０００８】
本発明の給排気システムは、筒状の内部空間を有し、内部空間を長手方向に排気空間（３４）と給気空間（３５）とに分ける仕切部（３３）を含む顕熱交換ダクト（３０）と、加熱機器（４０）の上方に設置される吸込口（１３）を有し、排気空間（３４）に接続する排気部（１０）と、吸込口（１３）の近傍に設置される吹出口（２３）を有し、給気空間（３５）に接続する給気部（２０）とを具備する。顕熱交換ダクト（３０）は、排気空間（３４）と繋がり、室外（２）に設置される排気口（３１）と、給気空間（３５）と繋がり、室外（２）に設置される給気口（３２）とを備える。排気部（１０）は、加熱機器（４０）の上方の室内空気を吸込口（１３）から吸込み、吸込んだ室内空気を排気空間（３４）に流して室外（２）まで排気する気流を発生させる排気ファン（１２）を備える。給気部（２０）は、給気口（３２）から室外空気を吸込み、吸込んだ室外空気を吹出口（２３）から加熱機器（４０）の周囲まで吹き出す気流を発生させる給気ファン（２２）を備える。排気空間（３４）を流れる室内空気と、給気空間（３５）を流れる室外空気とは仕切部（３３）を介して熱交換する。
【０００９】
このような給排気システムは、吸込口（１３）と吹出口（２３）とが近接して設置されているため、吹出口（２３）から吹出される室外空気は加熱機器（４０）の周囲へ達すると共に、吸込口（１３）から室内空気として室外（２）へ排気される。従って、給排気システムは、給気する室外空気を室内（１）に拡散し難くすることができる。更に、顕熱交換ダクト（３０）は、給気された室外空気と排気される室内空気とを仕切部（３３）を介して熱交換することができる。また、本発明の給排気システムは、吹出口（２３）から吹出される室外空気を利用して、加熱機器４０の周囲にエアカーテンを形成することができる。
【００１０】
本発明の給排気システムにおいて、給気部（２０）は加熱機器（４０）から離れた室内空気を取り込む室内給気口（２４）を更に備える。室内給気口（２４）から吸込まれた加熱機器（４０）から離れた室内空気は、給気空間（３５）を流れずに吹出口（２３）から加熱機器（４０）の周囲へ吹き出す。このような給排気システムは、加熱機器（４０）から離れた室内空気と、給気空間（３５）を流れる室外空気とを混合することができる。又、室内給気口（２４）は、開閉の切替え装置付きとする。
【００１１】
本発明の給排気システムにおいて、顕熱交換ダクト（３０）の長手方向に直交する断面は円形状、又は楕円形状、又は多角形状である。
【００１２】
本発明の給排気方法は、加熱機器（４０）の上方の室内空気を吸込口（１３）から吸込むことと、室内空気が吸込口（１３）と繋がる排気空間（３４）へ流れることと、室外空気を給気口（３２）から吸込むことと、室外空気が給気口（３２）と繋がる、排気空間（３４）と仕切部（３３）を介して分けられた給気空間（３５）へ流れることと、排気空間（３４）を流れる室内空気の熱が、仕切部（３３）を介して給気空間（３５）を流れる室外空気へ伝達されることと、排気空間（３４）を流れる室内空気が室外（２）へ排気されることと、給気空間（３５）を流れる室外空気が吸込口（１３）近傍の吹出口（２３）から吹出されることと、吹出口（２３）から吹出された室外空気が加熱機器（４０）の周囲にエアカーテンを形成することと、エアカーテンを形成した室外空気が吸込口（１３）へ吸込まれることとを具備する。
【００１３】
本発明の給排気方法における、給気空間（３５）を流れる室外空気が吸込口（１３）近傍の吹出口（２３）から吹出されることは、加熱機器（４０）から離れた室内空気を室内給気口（２４）から吸込むことと、加熱機器（４０）から離れた室内空気と給気空間（３５）を流れる室外空気とを混合することとを備える。
【発明の効果】
【００１４】
本発明の給排気システムは、排気による室内の負圧を防ぐと共に、室内の温度変化を抑えて、室内と室外との空気を給排気することができる。
【図面の簡単な説明】
【００１５】
【図１】図１は、本発明の実施の形態による、給排気システムの構成例を示した図である。
【図２】図２は、排気部１０と給気部２０との平面図である。
【図３】図３は、顕熱交換ダクト３０の長手方向と直交する断面図である。
【発明を実施するための形態】
【００１６】
以下、添付図面を参照して本発明の実施の形態による給排気システムを説明する。
【００１７】
図１は、本発明の実施の形態による、給排気システムの構成例を示した図である。図１を参照すると、給排気システムは、排気部１０と、給気部２０と、顕熱交換ダクト３０とを具備する。図２は、排気部１０と給気部２０との平面図である。本発明の給排気システムは、室内１に設置され、加熱機器４０の上方の室内空気を室外２へ排気すると共に、室外空気を加熱機器４０の上方から室内１へ給気する。尚、加熱機器４０は、運搬可能な小型のコンロや、鍋釜などの調理器具を加熱する据付型の加熱器具を表す。
【００１８】
排気部１０は、加熱機器４０の上方に設置され、加熱機器４０の上方の室内空気を吸込む。そして、排気部１０は、吸込んだ室内空気を顕熱交換ダクト３０に流して室外２まで排気する。つまり、排気部１０は、加熱機器４０の使用時に発生する水蒸気、煙及び臭いを効率良く室外２に排気し、室内１の空気環境の汚染を防ぐことができる。排気部１０は、排気ダクト１１と、排気ファン１２と、吸込口１３とを備える。
【００１９】
排気ダクト１１は、吸込口１３と顕熱交換ダクト３０とを接続するダクトである。排気ダクト１１は、吸込口１３を加熱機器４０の真上に設置できるように形成されることが好ましい。
【００２０】
排気ファン１２は、加熱機器４０の上方の室内空気を吸込み、吸込んだ室内空気を顕熱交換ダクト３０に流して室外２まで排気する気流を発生させる。排気ファン１２は、ユーザによって操作される操作部（図示略）を有し、ユーザ入力に基づいて駆動する。排気ファン１２は、回転数を変化させて、発生させる気流の風量を調整できることが好ましい。また、排気ファン１２は、複数含まれていてもよい。
【００２１】
吸込口１３は、室内空気が吸込まれる入口である。吸込口１３は、加熱機器４０から上昇してくる室内空気を吸込みやすくするために、加熱機器４０に対向し、真上に設置されることが好ましい。更に、吸込口１３の平面形状は、加熱機器４０から上昇してくる室内空気を吸込みやすくするために、加熱機器４０の平面形状よりも大きいことが好ましい。加熱機器４０の上方の室内空気は、排気ファン１２が発生させる気流に基づいて、吸込口１３から吸込まれ、排気ダクト１１へ流れ、更に顕熱交換ダクト３０へ流れていく。
【００２２】
給気部２０は、室内１に室外空気を給気する。つまり、給気部２０は、排気部１０によって負圧になる室内１に室外空気を給気し、室内１が負圧になることを防ぐことができる。給気部２０は、給気ダクト２１と、給気ファン２２と、吹出口２３と、室内給気口２４とを備える。
【００２３】
給気ダクト２１は、吹出口２３と顕熱交換ダクト３０とを接続するダクトである。給気ダクト２１は、吹出口２３が後述する位置に設置できるように形成される。
【００２４】
給気ファン２２は、室外２から顕熱交換ダクト３０を経由して室外空気を吸込み、吸込んだ室外空気を加熱機器４０の上方の吹出口２３から加熱機器４０の周囲まで吹き出す気流を発生させる。給気ファン２２は、ユーザによって操作される操作部（図示略）を有し、ユーザ入力基づいて駆動する。給気ファン２２と排気ファン１２とは、ユーザ入力に基づいて同時に駆動することが好ましい。また、給気ファン２２は、排気ファン１２と同様に気流の風量を調整できることが好ましく、複数のファンを含んでいてもよい。尚、本発明の給排気システムは、電力を必要とする部位が排気ファン１２と給気ファン２２のみであり、複雑な構成を必要とせずに給排気とそれに付随する機能を実現している。
【００２５】
吹出口２３は、給気ファン２２によって吸込まれた室外空気が、室内１へ吹出す出口である。図１を参照すると、吹出口２３は、加熱機器４０の上方で、排気部１０の近傍に設置される。詳細には、吹出口２３は、吸込口１３の外側の近傍に設置され、加熱機器４０の周囲と対向している。吹出口２３から吹出される室外空気は、加熱機器４０の周囲へ達する。一方で、吹出口２３から吹出される室外空気は、吸込口１３から室内空気として室外２へ排気される。即ち、吹出口２３と吸込口１３とが近接して設置されることで、吹出される室外空気が室内１に拡散し難くなる。室外空気が室内１に拡散し難いと、室内空気は給気される室外空気によって温度変化し難い。つまり、吹出口２３の設置位置は、室外空気を室内１へ拡散させ難くし、特に室内空気と室外空気との温度差が大きい場合に、室内１の温度を室外空気によって変化させ難くする効果を奏している。
【００２６】
また、吹出口２３は、吸込口１３の周囲を囲み複数設置される。複数の吹出口２３の各々は加熱機器４０の周囲と対向しているため、複数の吹出口２３から吹出される室外空気は、加熱機器４０の周囲を覆うエアカーテンを形成する。エアカーテンは、加熱機器４０の使用時に発生する水蒸気、煙、臭いの室内１への拡散を防ぐ効果を奏する。図２を参照すると、吹出口２３は、加熱機器４０の周囲の３方向に設置されている。吹出口２３が設置されていない方向は壁である。加熱機器４０がアイランドタイプの場合、吹出口２３は加熱機器４０の周囲の４方向に設置されることが好ましい。尚、給気ファン２２は、室外空気が加熱機器４０の周囲を覆うエアカーテンとなる風量で気流を発生させることができる。このように、室外２の室外空気は、給気ファン２２が発生させる気流に基づいて、顕熱交換ダクト３０と給気ダクト２１とを流れ、吹出口２３から吹出されてエアカーテンとなる。
【００２７】
室内給気口２４は、加熱機器４０から離れた室内１に設置される。室内給気口２４は、給気ファン２２が発生する気流に基づいて、加熱機器４０から離れた室内空気を吸込む入口である。室内給気口２４から吸込まれた室内空気は、顕熱交換ダクト３０を流れずに吹出口２３から加熱機器４０の周囲へ吹き出す。室内給気口２４は、図示していない開閉部を備え、ユーザ操作に基づいて室内空気を吸込むか否かを調整できることが好ましい。また、室内給気口２４から室内空気を取り込む場合は、室内１が負圧にならないように顕熱交換ダクト３０からも同時に室外空気を吸込むことが好ましい。顕熱交換ダクト３０を経由して吸込まれた室外空気と、室内給気口２４から吸込まれた室内空気とは、給気ダクト２１で混合される。つまり、室内給気口２４は、加熱機器４０から離れた室内空気と、室外空気とを混合させる効果を奏する。室内給気口２４は、夏季などの温度の高い室外空気を取り込む際に、温度の高い室外空気と冷房で冷えた室内空気とを混合させることができ、直接室外空気を吸込む場合よりも室内１の温度変化を抑える効果を奏する。
【００２８】
顕熱交換ダクト３０は、筒状の内部空間を有する。筒状の内部空間は、室内１の排気部１０及び給気部２０と、室外２とを接続する。筒状の内部空間は、長手方向に２つの空間に分けられており、２つの空間には室内空気又は室外空気の一方が流れる。そして、顕熱交換ダクト３０は、分けられた一方の内部空間を流れる室内空気と、他方の内部空間を流れる室外空気とで熱交換を行うことができる。図３は、顕熱交換ダクト３０の長手方向と直交する断面図である。図１及び図３を参照すると、顕熱交換ダクト３０は、排気口３１と、給気口３２と、仕切部３３と、排気空間３４と、給気空間３５とを備える。尚、図３に示した、顕熱交換ダクト３０の断面形状は、円形状であるが、楕円形状や多角形状でもよい。
【００２９】
排気口３１は、排気空間３４に繋がり、室外２に設置される。排気口３１は、排気ファン１２によって吸込まれた加熱機器４０の上方の室内空気が、室外２へ排気される出口である。図１及び図３の例では、排気口３１は、排気空間３４の延長上に設置されている。
【００３０】
給気口３２は、給気空間３５に繋がり、室外２に設置される。給気口３２は、給気ファン２２によって吸込まれる室外空気の入口である。図１及び図３の例では、給気口３２は、給気空間３５の延長上に設置されている。
【００３１】
仕切部３３は、顕熱交換ダクト３０の筒状の内部空間を、長手方向に排気空間３４と給気空間３５との２つの空間に分ける仕切りである。仕切部３５は、排気空間３４と給気空間３５との２つの空間において、温度が高い空気が流れる空間から熱を取得し、温度の低い空気が流れる空間へ熱を伝達する。従って、仕切部３５の材料は、アルミニウムや銅などの熱伝導性に優れた金属が好ましい。加熱機器４０の使用時、加熱機器４０の上方の室内空気は、暖められているため温度が高い。従って、仕切部３３は、特に冬季などの低い温度の室外空気を取り込む際に、室内１へ給気される室外空気を室内空気で暖めることができ、給気による室内１の温度変化を抑える効果を奏する。
【００３２】
排気空間３４は、仕切部３３で分けられた空間のうち、排気ダクト１１と排気口３１と繋がり、室内空気が流れる空間である。排気部１０に吸込まれた加熱機器４０の上方の室内空気は、排気空間３４を流れ、排気口３１から室外２へ排気される。給気空間３５は、仕切部３３で分けられた空間のうち、給気ダクト２１と給気口３２と繋がり、室外空気が流れる空間である。給気部２０によって室外２から吸込まれた室外空気は、給気口３２から入り、給気空間３５及び給気部２０を流れる。排気空間３４を流れる室内空気の熱と、給気空間３５を流れる室外空気の熱とは、仕切部３３を介して熱交換される。尚、給気空間３５は、室外空気の塵埃やにおいを除去できるフィルタを含むことが好ましい。また、顕熱交換ダクト３０は、外周に断熱材を有していることが好ましい。
【００３３】
本発明の給排気システムの動作を説明する。まず、冬季などにおける、室外空気が室内空気よりも低い温度の場合を説明する。排気ファン１１及び給気ファン２２は、ユーザ操作に基づいて駆動する。
【００３４】
排気ファン１１は、加熱機器４０の上方の暖められた室内空気を吸込み、吸込んだ室内空気を顕熱交換ダクト３０へ流して室外２まで排気する気流を発生させる。気流を詳細に説明すると、加熱機器４０の上方の室内空気は吸込口１３へ吸込まれる。そして、吸込口１３へ吸込まれた室内空気は、排気ダクト１１を経由して、顕熱交換ダクト３０の排気空間３４へ流れる。
【００３５】
一方、給気ファン２２は、室外２から顕熱交換ダクト３０を経由して室外空気を吸込み、吸込んだ室外空気を加熱機器４０の上方の吹出口２３から加熱機器４０の周囲まで吹き出す気流を発生させる。気流を詳細に説明すると、冷たい室外空気は給気口３２へ吸込まれる。そして、給気口３２へ吸込まれた室外空気は、顕熱交換ダクト３０の給気空間３５へ流れる。
【００３６】
排気空間３４を流れる暖められた室内空気の熱は、仕切部３３を介して給気空間３５を流れる冷たい室外空気へ伝達される。熱を伝達した排気空間３４を流れる室内空気は、排気ファン１１の発生させた気流に基づいて、排気口３１から室外２へ排気される。
【００３７】
一方、仕切部３３を介して暖められた給気空間３５を流れる室外空気は、給気ファン２２の発生させた気流に基づいて、給気ダクト２１を経由して、吹出口２３から吹出される。吹出口２３から吹出された室外空気は、加熱機器４０の周囲にエアカーテンを形成する。吹出口２３から吹出される室外空気は、室内１が負圧になることを防ぐと共に、室内１に拡散され難いこと、及び、顕熱交換ダクト３０で暖められたことによって室内１の温度変化を抑えることができる。また、室外空気が形成するエアカーテンは、加熱機器４０から発生する水蒸気、煙及び臭いを拡散することを防止する。そして、エアカーテンを形成した室外空気は、排気ファン１１の発生させる気流に基づいて、吸込口１３へ吸込まれる。
【００３８】
次に、夏季などにおいて、室外空気が室内空気よりも高い温度の場合を説明する。前述した冬季の場合と同様に、排気ファン１１及び給気ファン２２はユーザ操作に基づき駆動する。
【００３９】
排気ファン１１は、加熱機器４０の上方の暖められた室内空気を吸込み、吸込んだ室内空気を顕熱交換ダクト３０へ流して室外２まで排気する気流を発生させる。気流を詳細に説明すると、加熱機器４０の上方の室内空気は吸込口１３へ吸込まれる。吸込口１３へ吸込まれた室内空気は、排気ダクト１１を経由して、顕熱交換ダクト３０の排気空間３４へ流れる。
【００４０】
一方、給気ファン２２は、室外２から顕熱交換ダクト３０を経由して室外空気を吸込み、吸込んだ室外空気を加熱機器４０の上方の吹出口２３から加熱機器４０の周囲まで吹き出す気流を発生させる。気流を詳細に説明すると、室外空気は給気口３２へ吸込まれる。そして、給気口３２へ吸込まれた室外空気は、顕熱交換ダクト３０の給気空間３５へ流れる。
【００４１】
排気空間３４を流れる室内空気の熱は、仕切部３３を介して給気空間３５を流れる室外空気へ伝達される。排気空間３４を流れる室内空気は、排気ファン１１の発生させた気流に基づいて、排気口３１から室外２へ排気される。
【００４２】
一方、給気空間３５を流れる室外空気は、給気ファン２２の発生させた気流に基づいて、給気ダクト２１へ流れる。ここで、室内１の冷房によって冷えている加熱機器４０から離れた室内空気が、ユーザ操作に基づいて開いている室内給気口２４から吸込まれ、給気ダクト２１へ流れている。室外空気と、冷たい室内空気とは、給気ダクト２１で混合され、吹出口２３から吹出される。吹出口２３から吹出された室外空気は、加熱機器４０の周囲にエアカーテンを形成する。吹出口２３から吹出される室外空気は、室内１が負圧になることを防ぐと共に、室内１に拡散され難いこと、及び、冷たい室内空気と混合されたことによって、室内１の温度変化を抑えることができる。そして、エアカーテンを形成した室外空気は、排気ファン１１の発生させる気流に基づいて、吸込口１３へ吸込まれる。
【００４３】
本発明の給排気システムは、吸込口１３と吹出口２３とが近接して設置されているため給気する室外空気が室内１に拡散し難く、更に、給気される室外空気の温度を調整できるため、給気に起因する室内１の温度変化を抑える効果を奏している。特に、顕熱交換ダクト３０は、加熱機器４０で暖められた室内空気を利用して、冷たい室外空気を暖めることができるため、室外空気の温度が低い場合の給排気を快適にする効果を奏する。一方で、室内給気口２４は、高い温度の室外空気に冷やされた室内空気を混合できるため、室外空気の温度が高い場合の給排気を快適にする効果を奏する。また、本発明の給排気システムは、室外空気を利用して加熱機器４０の周囲にエアカーテンを形成することができるため、加熱機器４０から発生する水蒸気、煙、臭いの拡散を防ぐこともできる。このように、本発明の給排気システムは、電力を必要とする部位が少ない簡素な構成で、排気時に室内１が負圧になることを抑えると共に、給気時の室内１の温度変化を抑えることができる。また、本発明の給排気システムは、既設されたレンジフードと、給気部２０及び顕熱交換ダクト３０と、必要に応じた排気部１０の一部とを用いて設置することができ、住環境を効率良く改善することができる。
【符号の説明】
【００４４】
１      室内
２      室外
１０    排気部
１１    排気ダクト
１２    排気ファン
１３    吸込口
２０    給気部
２１    給気ダクト
２２    給気ファン
２３    吹出口
２４    室内給気口
３０    顕熱交換ダクト
３１    排気口
３２    給気口
３３    仕切部
３４    排気空間
３５    給気空間
４０    加熱機器
【図１】
2010216757.tif 000003
【図２】
2010216757.tif 000004
【図３】
2010216757.tif 000005